(57)【要約】【課題】表示装置間での輝度合わせを容易に行うことができるマルチモニタシステムを提供する。【解決手段】本発明によれば、複数の表示装置を備えるマルチモニタシステムであって、前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出する処理部を備えることを特徴とするマルチモニタシステムが提供される。【選択図】図１
2015001740.tif 000002
【特許請求の範囲】
【請求項１】
複数の表示装置を備えるマルチモニタシステムであって、
前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出する処理部
を備えることを特徴とするマルチモニタシステム。
【請求項２】
前記複数の表示装置の少なくとも１つにおいて、前記輝度情報値は、特定の輝度設定値での輝度実測値である、請求項１に記載のマルチモニタシステム。
【請求項３】
前記複数の表示装置の少なくとも１つにおいて、前記輝度情報値は、同一機種における特定の輝度設定値での輝度代表値である、請求項１又は請求項２に記載のマルチモニタシステム。
【請求項４】
前記複数の表示装置の少なくとも１つにおいて、前記輝度情報値は、少なくともＲ，Ｇ，Ｂそれぞれの輝度情報値からなるＲＧＢ輝度情報値と、ＲＧＢゲイン値に基づいて算出される、請求項１〜請求項３の何れか１つに記載のマルチモニタシステム。
【請求項５】
前記複数の表示装置の少なくとも１つにおいて、前記ＲＧＢ輝度情報値は、Ｒ，Ｇ，Ｂそれぞれの特定の輝度設定値からなる特定のＲＧＢ輝度設定値でのＲ，Ｇ，Ｂそれぞれの輝度実測値からなるＲＧＢ輝度実測値である、請求項４に記載のマルチモニタシステム。
【請求項６】
前記ＲＧＢゲイン値は、前記複数の表示装置の色温度が等しくなるように設定された値か、又はユーザーが任意に設定した値である、請求項４又は請求項５に記載のマルチモニタシステム。
【請求項７】
前記複数の表示装置の少なくとも１つにおいて、前記輝度情報値は、ユーザーが任意に設定する特定の色温度に従って決定される、請求項１〜請求項６の何れか１つに記載のマルチモニタシステム。
【請求項８】
前記特定の輝度設定値は、最大値である、請求項１〜請求項７の何れか１つに記載のマルチモニタシステム。
【請求項９】
前記複数の表示装置の少なくとも１つにおいて、前記輝度情報値は、特定の輝度実測値での輝度設定値である、請求項１に記載のマルチモニタシステム。
【請求項１０】
前記複数の表示装置の少なくとも１つにおいて、前記ＲＧＢ輝度情報値は、特定のＲＧＢ輝度実測値でのＲ，Ｇ，Ｂそれぞれの輝度設定値からなるＲＧＢ輝度設定値である、請求項４に記載のマルチモニタシステム。
【請求項１１】
前記処理部は、前記マルチモニタシステム内の前記複数の表示装置の何れか、又は別途設けた制御装置に配置される、請求項１〜請求項８の何れか１つに記載のマルチモニタシステム。
【請求項１２】
複数の表示装置を備えるマルチモニタシステムに使用されるコンピュータプログラムであって、
コンピュータに、
前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出するステップ
を実行させることを特徴とするコンピュータプログラム。
【請求項１３】
前記複数の表示装置の少なくとも１つにおいて、前記輝度情報値は、特定の輝度設定値での輝度実測値である、請求項１２に記載のコンピュータプログラム。
【請求項１４】
前記複数の表示装置の少なくとも１つにおいて、前記輝度情報値は、同一機種における特定の輝度設定値での輝度代表値である、請求項１２又は請求項１３に記載のコンピュータプログラム。
【請求項１５】
前記複数の表示装置の少なくとも１つにおいて、前記輝度情報値は、少なくともＲ，Ｇ，Ｂそれぞれの輝度情報値からなるＲＧＢ輝度情報値と、ＲＧＢゲイン値に基づいて算出される、請求項１２〜請求項１４の何れか１つに記載のコンピュータプログラム。
【請求項１６】
前記複数の表示装置の少なくとも１つにおいて、前記ＲＧＢ輝度情報値は、Ｒ，Ｇ，Ｂそれぞれの特定の輝度設定値からなる特定のＲＧＢ輝度設定値でのＲ，Ｇ，Ｂそれぞれの輝度実測値からなるＲＧＢ輝度実測値である、請求項１５に記載のコンピュータプログラム。
【請求項１７】
前記ＲＧＢゲイン値は、前記複数の表示装置の色温度が等しくなるように設定された値か、又はユーザーが任意に設定した値である、請求項１５又は請求項１６に記載のコンピュータプログラム。
【請求項１８】
前記複数の表示装置の少なくとも１つにおいて、前記輝度情報値は、ユーザーが任意に設定する特定の色温度に従って決定される、請求項１２〜請求項１７の何れか１つに記載のコンピュータプログラム。
【請求項１９】
前記特定の輝度設定値は、最大値である、請求項１２〜請求項１８の何れか１つに記載のコンピュータプログラム。
【請求項２０】
前記複数の表示装置の少なくとも１つにおいて、前記輝度情報値は、特定の輝度実測値での輝度設定値である、請求項１２に記載のコンピュータプログラム。
【請求項２１】
前記複数の表示装置の少なくとも１つにおいて、前記ＲＧＢ輝度情報値は、特定のＲＧＢ輝度実測値でのＲ，Ｇ，Ｂそれぞれの輝度設定値からなるＲＧＢ輝度設定値である、請求項１５に記載のコンピュータプログラム。
【請求項２２】
複数の表示装置を備えるマルチモニタシステムに使用される表示装置であって、
前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出する処理部と、
前記処理部によって算出された輝度設定値を前記その他の表示装置に送信する送信部と、
を備える、表示装置。
【請求項２３】
前記複数の表示装置の少なくとも１つにおいて、前記輝度情報値は、特定の輝度設定値での輝度実測値である、請求項２２に記載の表示装置。
【請求項２４】
前記複数の表示装置の少なくとも１つにおいて、前記輝度情報値は、同一機種における特定の輝度設定値での輝度代表値である、請求項２２又は請求項２３に記載の表示装置。
【請求項２５】
前記複数の表示装置の少なくとも１つにおいて、前記輝度情報値は、少なくともＲ，Ｇ，Ｂそれぞれの輝度情報値からなるＲＧＢ輝度情報値と、ＲＧＢゲイン値に基づいて算出される、請求項２２〜請求項２４の何れか１つに記載の表示装置。
【請求項２６】
前記複数の表示装置の少なくとも１つにおいて、前記ＲＧＢ輝度情報値は、Ｒ，Ｇ，Ｂそれぞれの特定の輝度設定値からなる特定のＲＧＢ輝度設定値でのＲ，Ｇ，Ｂそれぞれの輝度実測値からなるＲＧＢ輝度実測値である、請求項２５に記載の表示装置。
【請求項２７】
前記ＲＧＢゲイン値は、前記複数の表示装置の色温度が等しくなるように設定された値か、又はユーザーが任意に設定した値である、請求項２５又は請求項２６に記載の表示装置。
【請求項２８】
前記複数の表示装置の少なくとも１つにおいて、前記輝度情報値は、ユーザーが任意に設定する特定の色温度に従って決定される、請求項２２〜請求項２７の何れか１つに記載の表示装置。
【請求項２９】
前記特定の輝度設定値は、最大値である、請求項２２〜請求項２８の何れか１つに記載の表示装置。
【請求項３０】
前記複数の表示装置の少なくとも１つにおいて、前記輝度情報値は、特定の輝度実測値での輝度設定値である、請求項２２に記載の表示装置。
【請求項３１】
前記複数の表示装置の少なくとも１つにおいて、前記ＲＧＢ輝度情報値は、特定のＲＧＢ輝度実測値でのＲ，Ｇ，Ｂそれぞれの輝度設定値からなるＲＧＢ輝度設定値である、請求項２５に記載の表示装置。
【発明の詳細な説明】
【技術分野】
【０００１】
この発明は、複数の表示装置（例：液晶ディスプレイ装置）からなるマルチモニタシステム、及びマルチモニタシステムで使用されるコンピュータプログラム及び表示装置に関する。
【背景技術】
【０００２】
複数の表示装置からなるマルチモニタシステムでは、表示装置間で輝度を揃えることが望まれている。
特許文献１では、ユーザーが子機を操作し、目視で親機の輝度と合わせ、その合わせたときの親機と子機のバックライト設定値の比率から補正係数を求め、以後、ユーザーが親機のバックライト設定値を変更した場合には、補正係数に応じて子機のバックライト設定値を決定する。このことにより、ユーザーが目視で親機と子機の輝度を合わせた後は、ユーザーは親機のバックライト設定値を変更するだけで、自動的に、子機の輝度が親機の輝度に合わせ込まれるようになる。
【先行技術文献】
【特許文献】
【０００３】
【特許文献１】ＷＯ２０１２／１７２６３７
【発明の概要】
【発明が解決しようとする課題】
【０００４】
特許文献１に記載の技術は、子機の輝度を目視で親機の輝度に合わせるという作業を行うことが前提になっており、この作業が面倒である。
この面倒な作業を避けるには、各表示装置に輝度センサを配置し、輝度センサの出力に基づいて輝度合わせを行えばよい。しかし、輝度センサは、高価であるので、各表示装置に輝度センサを配置することなく、表示装置間での輝度合わせを容易に行うことができる技術が望まれている。
【０００５】
本発明はこのような事情に鑑みてなされたものであり、表示装置間での輝度合わせを容易に行うことができるマルチモニタシステムを提供するものである。
【課題を解決するための手段】
【０００６】
本発明によれば、複数の表示装置を備えるマルチモニタシステムであって、前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出する処理部を備えることを特徴とするマルチモニタシステムが提供される。
【０００７】
本発明者らは上記課題を解決すべく鋭意検討を行ったところ、特許文献１の技術では、親機と子機のバックライト設定値を用いているために、子機の輝度を目視で親機の輝度に合わせるという作業を事前に行うことが必須になることに気がついた。そして、バックライト設定値を用いる代わりに、各表示装置の輝度情報値と特定の表示装置での輝度設定値に基づいて、マルチモニタシステムに属する各表示装置の輝度設定値を算出することによって、事前に目視での輝度合わせを行うことなく、マルチモニタシステムに属する全ての表示装置の輝度を実質的に同一にすることができることを見出し、本発明の完成に到った。なお、輝度設定値とは、例えば、液晶表示装置にあっては、バックライト制御信号設定値のことであり、より詳しくは、バックライトの明るさを調整するための値であって、バックライトの駆動量を指示する値（一例では、％表示）である。
【０００８】
以下、本発明の種々の実施形態を例示する。以下に示す実施形態は互いに組み合わせ可能である。
好ましくは、前記複数の表示装置の少なくとも１つにおいて、前記輝度情報値は、特定の輝度設定値での輝度実測値である。
好ましくは、前記複数の表示装置の少なくとも１つにおいて、前記輝度情報値は、同一機種における特定の輝度設定値での輝度代表値である。
好ましくは、前記複数の表示装置の少なくとも１つにおいて、前記輝度情報値は、少なくともＲ，Ｇ，Ｂそれぞれの輝度情報値からなるＲＧＢ輝度情報値と、ＲＧＢゲイン値に基づいて算出される。
好ましくは、前記複数の表示装置の少なくとも１つにおいて、前記ＲＧＢ輝度情報値は、Ｒ，Ｇ，Ｂそれぞれの特定の輝度設定値からなる特定のＲＧＢ輝度設定値でのＲ，Ｇ，Ｂそれぞれの輝度実測値からなるＲＧＢ輝度実測値である。
好ましくは、前記ＲＧＢゲイン値は、前記複数の表示装置の色温度が等しくなるように設定された値か、又はユーザーが任意に設定した値である。
好ましくは、前記複数の表示装置の少なくとも１つにおいて、前記輝度情報値は、ユーザーが任意に設定する特定の色温度に従って決定される。
好ましくは、前記特定の輝度設定値は、最大値である。
好ましくは、前記複数の表示装置の少なくとも１つにおいて、前記輝度情報値は、特定の輝度実測値での輝度設定値である。
好ましくは、前記複数の表示装置の少なくとも１つにおいて、前記ＲＧＢ輝度情報値は、特定のＲＧＢ輝度実測値でのＲ，Ｇ，Ｂそれぞれの輝度設定値からなるＲＧＢ輝度設定値である。
好ましくは、前記処理部は、前記マルチモニタシステム内の前記複数の表示装置の何れか、又は別途設けた制御装置に配置される。
【０００９】
また、本発明によれば、複数の表示装置を備えるマルチモニタシステムに使用されるコンピュータプログラムであって、コンピュータに、前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出するステップを実行させることを特徴とするコンピュータプログラムが提供される。
好ましくは、前記複数の表示装置の少なくとも１つにおいて、前記輝度情報値は、特定の輝度設定値での輝度実測値である。
好ましくは、前記複数の表示装置の少なくとも１つにおいて、前記輝度情報値は、同一機種における特定の輝度設定値での輝度代表値である。
好ましくは、前記複数の表示装置の少なくとも１つにおいて、前記輝度情報値は、少なくともＲ，Ｇ，Ｂそれぞれの輝度情報値からなるＲＧＢ輝度情報値と、ＲＧＢゲイン値に基づいて算出される。
好ましくは、前記複数の表示装置の少なくとも１つにおいて、前記ＲＧＢ輝度情報値は、Ｒ，Ｇ，Ｂそれぞれの特定の輝度設定値からなる特定のＲＧＢ輝度設定値でのＲ，Ｇ，Ｂそれぞれの輝度実測値からなるＲＧＢ輝度実測値である。
好ましくは、前記ＲＧＢゲイン値は、前記複数の表示装置の色温度が等しくなるように設定された値か、又はユーザーが任意に設定した値である。
好ましくは、前記複数の表示装置の少なくとも１つにおいて、前記輝度情報値は、ユーザーが任意に設定する特定の色温度に従って決定される。
好ましくは、前記特定の輝度設定値は、最大値である。
好ましくは、前記複数の表示装置の少なくとも１つにおいて、前記輝度情報値は、特定の輝度実測値での輝度設定値である。
好ましくは、前記複数の表示装置の少なくとも１つにおいて、前記ＲＧＢ輝度情報値は、特定のＲＧＢ輝度実測値でのＲ，Ｇ，Ｂそれぞれの輝度設定値からなるＲＧＢ輝度設定値である。
【００１０】
また、本発明によれば、複数の表示装置を備えるマルチモニタシステムに使用される表示装置であって、前記複数の表示装置のうちの特定の表示装置とその他の表示装置のそれぞれの輝度情報値と、ユーザーが任意に設定する前記特定の表示装置の輝度設定値とに基づいて、前記その他の表示装置の輝度が前記特定の表示装置の輝度と実質的に同一となるように前記その他の表示装置の輝度設定値を算出する処理部と、前記処理部によって算出された輝度設定値を前記その他の表示装置に送信する送信部とを備える、表示装置が提供される。
好ましくは、前記複数の表示装置の少なくとも１つにおいて、前記輝度情報値は、特定の輝度設定値での輝度実測値である。
好ましくは、前記複数の表示装置の少なくとも１つにおいて、前記輝度情報値は、同一機種における特定の輝度設定値での輝度代表値である。
好ましくは、前記複数の表示装置の少なくとも１つにおいて、前記輝度情報値は、少なくともＲ，Ｇ，Ｂそれぞれの輝度情報値からなるＲＧＢ輝度情報値と、ＲＧＢゲイン値に基づいて算出される。
好ましくは、前記複数の表示装置の少なくとも１つにおいて、前記ＲＧＢ輝度情報値は、Ｒ，Ｇ，Ｂそれぞれの特定の輝度設定値からなる特定のＲＧＢ輝度設定値でのＲ，Ｇ，Ｂそれぞれの輝度実測値からなるＲＧＢ輝度実測値である。
好ましくは、前記ＲＧＢゲイン値は、前記複数の表示装置の色温度が等しくなるように設定された値か、又はユーザーが任意に設定した値である。
好ましくは、前記複数の表示装置の少なくとも１つにおいて、前記輝度情報値は、ユーザーが任意に設定する特定の色温度に従って決定される。
好ましくは、前記特定の輝度設定値は、最大値である。
好ましくは、前記複数の表示装置の少なくとも１つにおいて、前記輝度情報値は、特定の輝度実測値での輝度設定値である。
好ましくは、前記複数の表示装置の少なくとも１つにおいて、前記ＲＧＢ輝度情報値は、特定のＲＧＢ輝度実測値でのＲ，Ｇ，Ｂそれぞれの輝度設定値からなるＲＧＢ輝度設定値である。
【図面の簡単な説明】
【００１１】
【図１】本発明の第１実施形態のマルチモニタシステム１の構成を示すブロック図である。
【図２】本発明の第１実施形態のマルチモニタシステム１での輝度合わせ方法を示すフローチャートである。
【図３】色温度と最大輝度の関係を示すグラフの一例である。
【図４】本発明の第２実施形態のマルチモニタシステム１の構成を示すブロック図である。
【図５】本発明の第２実施形態のマルチモニタシステム１での輝度合わせ方法を示すフローチャートである。
【図６】本発明の第３実施形態のマルチモニタシステム１の構成を示すブロック図である。
【図７】本発明の第３実施形態のマルチモニタシステム１での輝度合わせ方法を示すフローチャートである。
【図８】本発明の第４実施形態のマルチモニタシステム１の構成を示すブロック図である。
【図９】本発明の第４実施形態のマルチモニタシステム１での輝度合わせ方法を示すフローチャートである。
【発明を実施するための形態】
【００１２】
以下、本発明の種々の実施形態について説明する。以下に示す実施形態中で示した各種特徴事項は、互いに組み合わせ可能である。第２実施形態以降において説明を省略した部分は、第１実施形態と同様である。
【００１３】
１．第１実施形態
図１〜図２を用いて、本発明の第１実施形態のマルチモニタシステム１について説明する。
図１は、本発明の第１実施形態のマルチモニタシステム１の構成を示すブロック図である。マルチモニタシステム１は、第１表示装置３ａ及び第２表示装置３ｂを含む複数の表示装置３と、各表示装置３と通信可能に構成された制御装置７を備える。図１には、２台の表示装置３を表示しているが、マルチモニタシステム１に含まれる表示装置の数は、特に限定されず、３台以上であってもよい。複数の表示装置３は、同一の機種であってもよく、互いに異なる機種であってもよい。表示装置３と制御装置７の間の通信は無線・有線の何れであってもよい。
【００１４】
各表示装置３は、液晶パネル９と、映像処理回路１１と、バックライト１３と、バックライト制御回路１５と、処理部１７と、記憶部１９と、送受信部２１とを備える。
【００１５】
映像処理回路１１は、外部から入力された映像信号に基づいて、液晶パネル９に最適な信号への変換処理を行い、変換により得られた液晶パネル映像信号を出力する。バックライト制御回路１５は、バックライトを駆動する電圧をバックライト１３に印加し、処理部１７から入力されたバックライト制御信号に従って、バックライト１３に流れる電流を出力する。バックライト制御信号は、ＰＷＭ調光の場合はバックライト１３に流れる電流をＯＮ/ＯＦＦするデューティー比を制御する信号であり、ＤＣ調光の場合はバックライト１３に流す電流量を制御する信号である。バックライト１３は、バックライト制御回路１５から出力されたバックライト駆動電流によって駆動されて可視光を出力する。ユーザーは、図示しない輝度設定値操作部を操作して設定した輝度設定値に応じて、バックライト制御回路１５に出力電流を調整させて、バックライト１３の輝度を調整することができる。液晶パネル９は、映像処理回路１１から入力された液晶パネル映像信号と、バックライト１３が出力した可視光により、映像を表示する。処理部１７は、ＣＰＵ及び各種メモリにより構成される。そして、処理部１７の動作は、プログラムの形式で記録部１９に記憶されており、このプログラムをＣＰＵが読み出して実行することによって本実施形態の処理が行われる。
【００１６】
記憶部１９には、表示装置３の製造時に、機種識別子（例：機種コード）と、特定の輝度設定値での輝度実測値が記憶されている。特定の輝度設定値は、一例では、Ｒ，Ｇ，Ｂ全てにおいて最大値（全白色表示）である。また、輝度実測値を測定する際に液晶パネル９に表示する色は、白色に限定されず、例えば、Ｒ，Ｇ，Ｂの何れかを表示した状態での輝度実測値を記憶部１９に記憶させてもよい。この場合、Ｒ，Ｇ，Ｂの全て又は少なくとも１つを最大値よりも小さい値（例：８０％）にしてもよい。処理部１７は、機種識別子と輝度実測値の一方又は両方を記憶部１１から読み出し、送受信部２１を通じて、制御装置７に送信する。
【００１７】
制御装置７は、例えば、所定のコンピュータプログラムがインストールされたコンピュータであり、送受信部２３と、処理・操作部２５と、記憶部２７を備える。送受信部２３は、第１表示装置３ａとの間で信号を送受信部する第１送受信部２３ａと、第２表示装置３ｂとの間で信号を送受信部する第２送受信部２３ｂを含む複数の送受信部で構成されている。記憶部２７には、種々の機種についての特定の輝度設定値（例：最大値）での輝度代表値が機種識別子と関連付けて記憶されている。この輝度代表値は、表示装置３の記憶部１９に輝度実測値が記憶されていない場合に、輝度実測値の代わりに利用される。同一機種の複数の表示装置３の間でも最大輝度の値にはバラツキがあるので、複数の表示装置３での輝度合わせを行う際には、個々の表示装置３について実際に測定された輝度実測値を用いることが好ましいが、輝度実測値が得られない場合には、輝度代表値を用いることによって、精度は若干低下するものの、手間をかけずに、輝度合わせを行うことが可能になっている。輝度代表値は、同一機種についての多数の表示装置についての輝度実測値の分布から求めることができる。代表値としては、平均値や最頻値などを用いることができる。輝度代表値を用いれば輝度実測値が得られない場合でも輝度合わせができるが、同一機種の輝度代表値は同じ値になるので、同一機種間での輝度合わせには使用することができない。従って、同一機種の複数の表示装置３が含まれるマルチモニタシステム１では、輝度実測値を用いることの利点が大きい。
【００１８】
処理・操作部２５は、輝度設定値についてユーザーの入力を受け付け、この輝度設定値と、送受信部２３を通じて得た輝度実測値と、記憶部２７に記憶された輝度代表値に基づいて、所定の計算処理を行って、各表示装置３に適用される輝度設定値を算出し、送受信部２３を通じて各表示装置３に対して送信する。
【００１９】
ここで、図２のフローチャートを用いて、マルチモニタシステム１に含まれる複数の表示装置３の輝度合わせを行う方法を詳細に説明する。本実施形態では、ユーザーの操作画面が、制御装置７の表示画面２９に表示され、操作画面でのユーザーの入力内容に従って、処理・操作部２５が所定の処理を行う。なお、操作画面は、表示画面２９に表示させる代わりに、マルチモニタシステム１に含まれる何れかの表示装置３に表示させてもよい。また、図２のフローチャート中の各ステップの順序は、例示であって、適宜順序を入れ替えることも可能である。例えば、ステップＳ２をステップＳ１の前に行ってもよい。
【００２０】
まず、ステップＳ１では、処理・操作部２５は、親表示装置を選択するための操作画面を表示画面２９に表示する。ユーザーは、この操作画面において、マルチモニタシステム１に含まれる何れかの表示装置３を親表示装置として選択する。ここでは、ユーザーが第１表示装置３ａを親表示装置として選択したとする。制御装置７の処理・操作部２５は、この選択に従って、第１表示装置３ａを親表示装置に設定し、第２表示装置３ｂを子表示装置に設定する。なお、マルチモニタシステム１に含まれるその他の表示装置３も同様に子表示装置に設定する。親表示装置と子表示装置の関係は、固定されたものではなく、ユーザーが第２表示装置３ｂを親表示装置として選択した場合、第１表示装置３ａ及びその他の表示装置が子表示装置となる。また、特定の表示装置３を親表示装置として選択することを予め設定しておき、ステップＳ１を省略してもよい。
【００２１】
次に、ステップＳ２では、処理・操作部２５は、マルチモニタシステム１に含まれる各表示装置の記憶部１９から機種識別子と輝度実測値の一方又は両方を読み出す。
【００２２】
次に、ステップＳ３では、処理・操作部２５は、各表示装置３の輝度情報値を決定する。記憶部１９に輝度実測値が記憶されている表示装置３については、この輝度実測値を「輝度情報値」とする。記憶部１９に輝度実測値が記憶されていない表示装置３については、機種識別子に従って記憶部２７から輝度代表値を読み出し、この輝度代表値を「輝度情報値」とする。従って、本実施形態では、輝度情報値は、輝度実測値又は輝度代表値である。
【００２３】
次に、ステップＳ４では、処理・操作部２５は、親表示装置である第１表示装置３ａの輝度設定値を設定するための操作画面を表示画面２９に表示する。ユーザーは、この操作画面において、親表示装置の輝度設定値を設定し、処理・操作部２５がその設定を受け付ける。ここでの輝度設定値の上限は、マルチモニタシステム１に含まれる各表示装置３の最大輝度のうち、最も値が低いものによって制限される。例えば、第１表示装置３ａの最大輝度が３００ｃｄ／ｍ２で、第２表示装置３ｂの最大輝度が２７０ｃｄ／ｍ２である場合、第１表示装置３ａの輝度設定値を９５％にして輝度を２８５ｃｄ／ｍ２に合わせようとしても、第２表示装置３ｂは輝度を２８５ｃｄ／ｍ２にすることができないので、このような輝度での輝度合わせは不可能である。従って、マルチモニタシステム１に含まれる全ての表示装置３が輝度合わせをする輝度に対応可能になるように、親表示装置での輝度設定値の上限は、以下の式１−１によって定まる値に設定される。なお、式１−１によって定まるのは、親表示装置における輝度設定値の調整範囲に対する、マルチモニタシステム１に含まれる全ての表示装置３が輝度合わせ可能となる親表示装置における輝度設定値の調整範囲の比率である。よって、例えば、輝度設定値が％表示であれば、式１−１によって定まる値も％表示に変換して理解されるべきである。この点は、式１−２の場合も同様である。
（式１−１）
輝度設定値の上限＝（最大輝度が最も低い表示装置３での最大輝度）／（親表示装置での最大輝度）
【００２４】
ところで、ステップＳ３で決定した輝度情報値は、最大輝度であることが好ましいが、必ずしも最大輝度である必要はない。輝度情報値が最大輝度でない場合には、輝度設定値の上限は、近似的に、以下の式１−２に従って定めることができる。
（式１−２）
輝度設定値の上限＝（輝度情報値が最も低い表示装置３での輝度情報値）／（親表示装置での輝度情報値）
【００２５】
次に、ステップＳ５では、処理・操作部２５は、第２表示装置３ｂなどの子表示装置の輝度設定値を算出する。子表示装置の輝度設定値は、以下の式１−３に従って算出される。各子表示装置について式１−３が適用されて、各子表示装置について輝度設定値が算出される。式１−３は、輝度設定値と輝度値が概ね比例関係になるようにバックライトを制御する表示装置を前提とする。この場合、親表示装置と子表示装置の輝度設定値の最小値における輝度は、ゼロになるように予め調整されているのが好ましい。
（式１−３）
子表示装置の輝度設定値＝親表示装置の輝度設定値×（親表示装置の輝度情報値／子表示装置の輝度情報値）
【００２６】
例えば、第１表示装置３ａの輝度情報値が３００ｃｄ／ｍ２であり、第２表示装置３ｂの輝度情報値が２７０ｃｄ／ｍ２であり、第１表示装置３ａの輝度設定値を７０％にした場合、第２表示装置３ｂの輝度設定値は、７０％×（３００／２７０）＝７７．８％となる。第２表示装置３ｂは、第１表示装置３ａよりも輝度が低くなりやすい特性を有しているので、第２表示装置３ｂの輝度設定値を第１表示装置３ａの輝度設定値よりも大きくすることによって、両者の輝度合わせがなされる。
【００２７】
次に、ステップＳ６では、処理・操作部２５は、上記ステップで設定又は算出した各表示装置３の輝度設定値を示す輝度設定値信号を各表示装置３に送信する。具体的には、ステップＳ４で設定した第１表示装置３ａの輝度設定値信号を第１表示装置３ａに送信し、ステップＳ５で算出した第２表示装置３ｂの輝度設定値信号を第２表示装置３ｂに送信する。
【００２８】
第１及び第２表示装置３ａ，３ｂの処理部１７は、送受信部２１を通じて輝度設定値信号を受け取ると、この輝度設定値信号に基づいてバックライト制御信号を生成し、バックライト制御回路１５に対して出力する。なお、処理部１７は、輝度設定値信号をそのままバックライト制御信号としてスルー出力してもよい。バックライト制御回路１５は、バックライト制御信号に基づいてバックライト１３を駆動して可視光を出力させる。
【００２９】
このように、マルチモニタシステム１に含まれる複数の表示装置３の輝度が実質的に等しくなるように個々の表示装置３について輝度設定値が算出され、各表示装置３では、自身について算出された輝度設定値に基づいてバックライト１３からの可視光の出力が制御される。
【００３０】
以上の方法によれば、ユーザーが目視で輝度合わせを行うことなく、マルチモニタシステム１に含まれる複数の表示装置３の輝度合わせを行うことができる。また、以上の方法によれば、量産上の負荷を抑制しつつ、マルチモニタシステム１に使用可能な表示装置３を製造することができる。
【００３１】
上記実施形態では、輝度情報値として、特定の輝度設定値での輝度実測値又は輝度代表値を使用したが、輝度情報値とは、各表示装置の発光能力を表す指標であり、特定の輝度実測値での輝度設定値を用いることも可能である。例えば、特定の輝度実測値を「２４０ｃｄ／ｍ２」に設定する場合、最大輝度が３００ｃｄ／ｍ２である第１表示装置３ａでは、輝度設定値が（２４０／３００）＝８０％程度になり、最大輝度が２７０ｃｄ／ｍ２である第２表示装置３ｂでは、輝度設定値が（２４０／２７０）＝８９％程度なる。つまり、第１表示装置３ａでは、輝度設定値が８０％のときに輝度実測値が「２４０ｃｄ／ｍ２」になり、第２表示装置３ｂでは、輝度設定値が８９％のときに輝度実測値が「２４０ｃｄ／ｍ２」になる。このように、特定の輝度実測値を得るために必要な輝度設定値は、表示装置３ごとに異なる。従って、この特定の輝度実測値での輝度設定値を利用することによって、輝度合わせが可能である。
【００３２】
特定の輝度実測値での輝度設定値を用いた輝度合わせの方法としては、以下の式１−４に従って、「特定の輝度実測値での輝度設定値」を「特定の輝度設定値での輝度実測値」に変換し、その後、上記の式１−３に従って、子表示装置の輝度設定値を算出する方法が挙げられる。例えば、第１表示装置３ａの場合、２４０×（１００／８０）＝３００によって、特定の輝度設定値（最大値）での輝度実測値（最大輝度）を得ることができる。
（式１−４）
特定の輝度設定値での輝度実測値＝特定の輝度実測値×（特定の輝度設定値／特定の輝度実測値での輝度設定値）
【００３３】
また、特定の輝度実測値での輝度設定値を用いた輝度合わせの別の方法として、式１−３の代わりに、以下の式１−５を用いることによって、輝度合わせの際の子表示装置の輝度設定値を算出することもできる。この場合、上記式１−４による変換が必要ない。
（式１−５）
子表示装置の輝度設定値＝ユーザーが任意に設定する親表示装置の輝度設定値×（特定の輝度実測値での子表示装置の輝度設定値／特定の輝度実測値での親表示装置の輝度設定値）
【００３４】
２．第２実施形態
図３〜図５を用いて、本発明の第２実施形態のマルチモニタシステム１について説明する。
第１実施形態では、マルチモニタシステム１に含まれる各表示装置３の輝度情報値に基づいて輝度合わせが行われ、この輝度情報値を算出する際には、色温度は考慮せずに、例えば、Ｒ，Ｇ，Ｂを全て最大輝度で発光させて得られる全白色表示の最大輝度に基づいて輝度合わせを行なっている。
【００３５】
しかし、図３に例示するように、表示装置の最大輝度は色温度によって変化し、しかもその変化の態様が表示装置３ごとに異なるので、第１実施形態のように全白色表示の最大輝度に基づく輝度合わせでは、特定の色温度においては高い精度で輝度合わせを行うことができても、別の色温度では輝度合わせの精度が低下する場合がある。例えば、図３は、色温度７０００Ｋ付近でＲＧＢゲインが最大となる表示装置の例である。そこで、本実施形態では、色温度が変わっても、輝度合わせの精度が低下しないマルチモニタシステム１を提供する。
【００３６】
図４は、本発明の第２実施形態のマルチモニタシステム１の構成を示すブロック図である。基本構成は、第１実施形態と同じであるので、以下、異なっている点を中心に説明する。
処理部１７は、映像処理回路１１に対して映像処理回路制御信号を出力し、映像処理回路１１は、処理部１７から入力された映像処理回路制御信号に基づいて、外部から入力された映像信号を液晶パネル９に最適な信号への変換処理を行い、変換により得られた液晶パネル映像信号を出力する。映像処理回路制御信号は、ＲＧＢゲイン値及びガンマ値を示す信号である。また、記憶部１９には、表示装置３の製造時に、機種識別子（例：機種コード）と、Ｒ，Ｇ，Ｂそれぞれの特定の輝度設定値からなる特定のＲＧＢ輝度設定値（例：Ｒ，Ｇ，Ｂの何れも最大値）でのＲ，Ｇ，Ｂのそれぞれの輝度実測値であるＲＧＢ輝度実測値が記憶されている。また、記憶部１９には、複数の色温度と、各色温度を達成するためのＲＧＢゲイン値の関係を示す色温度定義情報も記憶されている。ＲＧＢ輝度実測値及び色温度定義情報の内容は、表示装置３ごとに異なる。処理部１７は、機種識別子と、ＲＧＢ輝度実測値及び色温度定義情報の一方又は両方を記憶部１９から読み出し、送受信部２１を通じて、制御装置７に送信する。
【００３７】
制御装置７の記憶部２７には、種々の機種について、複数の色温度と、各色温度での特定の輝度設定値（例：最大値）での輝度代表値が機種識別子と関連付けて記憶されている。例えば、各機種について、１４種類の色温度のそれぞれについて最大輝度代表値が記憶されている。輝度代表値は、同一機種についての多数の表示装置についての輝度実測値の分布から求めることができる。代表値としては、平均値や最頻値などを用いることができる。
【００３８】
処理・操作部２５は、ガンマ値、色温度、及び輝度設定値についてユーザーの入力を受け付け、これらの入力内容と、送受信部２３を通じて得たＲＧＢ輝度実測値及び色温度定義情報と、記憶部２７に記憶された輝度代表値に基づいて、所定の計算処理を行って、各表示装置３に適用される輝度設定値を算出し、色温度及びガンマ値と共に送受信部２３を通じて各表示装置３に対して送信する。
【００３９】
ここで、図５のフローチャートを用いて、マルチモニタシステム１に含まれる複数の表示装置３の輝度合わせを行う方法を詳細に説明する。図５のフローチャート中の各ステップの順序は、例示であって、適宜順序を入れ替えることも可能である。
【００４０】
まず、ステップＳ２１では、第１実施形態のステップＳ１と同様に、マルチモニタシステム１に含まれる何れかの表示装置３を親表示装置として選択する。
【００４１】
次に、ステップＳ２２では、処理・操作部２５は、色温度及びガンマ値を設定するための操作画面を表示画面２９に表示する。ユーザーは、この操作画面において、色温度及びガンマ値を設定し、処理・操作部２５がその設定を受け付ける。
【００４２】
次に、ステップＳ２３では、処理・操作部２５は、マルチモニタシステム１に含まれる各表示装置の記憶部１９から機種識別子と、ＲＧＢ輝度実測値及び色温度定義情報の一方又は両方を読み出す。
【００４３】
次に、ステップＳ２４では、処理・操作部２５は、マルチモニタシステム１に含まれる各表示装置３の輝度情報値を決定する。記憶部１９にＲＧＢ輝度実測値及び色温度定義情報が記憶されている表示装置３については、輝度情報値は、以下の式２−１に従って算出する。式２−１中での色温度Ｔは、ステップＳ２２で設定した色温度である。
（式２−１）
輝度情報値
＝（Ｒの輝度実測値）×（色温度ＴでのＲのゲイン値）γ
＋（Ｇの輝度実測値）×（色温度ＴでのＧのゲイン値）γ
＋（Ｂの輝度実測値）×（色温度ＴでのＢのゲイン値）γ
【００４４】
例えば、ステップＳ２２で色温度を６５００Ｋ、ガンマ値を２．２に設定し、第１表示装置３ａでのＲＧＢ輝度実測値が（Ｒ，Ｇ，Ｂ）＝（１００ｃｄ／ｍ２，１２０ｃｄ／ｍ２，９０ｃｄ／ｍ２）であり、６５００ＫのＲＧＢゲイン値が（Ｒ，Ｇ，Ｂ）＝（１，０．９，０．７８）とすると、この場合、第１表示装置３ａの輝度情報値は、以下の式２−２のように算出される。
（式２−２）
第１表示装置３ａの輝度情報値（６５００Ｋ、γ＝２．２）
＝（１００）×（１）２．２
＋（１２０）×（０．９）２．２
＋（９０）×（０．７８）２．２
＝２４７．３
【００４５】
また、第２表示装置３ｂでのＲＧＢ輝度実測値が（Ｒ，Ｇ，Ｂ）＝（１１０ｃｄ／ｍ２，１００ｃｄ／ｍ２，１２０ｃｄ／ｍ２）であり、６５００ＫのＲＧＢゲイン値が（Ｒ，Ｇ，Ｂ）＝（０．９，１，０．６）とすると、この場合、第２表示装置３ｂの輝度情報値は、以下の式２−３のように算出される。
（式２−３）
第２表示装置３ｂの輝度情報値（６５００Ｋ、γ＝２．２）
＝（１１０）×（０．９）２．２
＋（１００）×（１）２．２
＋（１２０）×（０．６）２．２
＝２２６．２
【００４６】
また、記憶部１９にＲＧＢ輝度実測値及び色温度定義情報が記憶されていない表示装置３については、機種識別子及びステップＳ２２で設定した色温度に従って記憶部２７から輝度代表値を読み出し、この輝度代表値を「輝度情報値」とする。
【００４７】
次に、ステップＳ２５では、第１実施形態のステップＳ４と同様に、処理・操作部２５は、親表示装置である第１表示装置３ａの輝度設定値を設定するための操作画面を表示画面２９に表示する。ユーザーは、この操作画面において、親表示装置の輝度設定値を設定し、処理・操作部２５がその設定を受け付ける。
【００４８】
次に、ステップＳ２６では、第１実施形態のステップＳ５と同様に、処理・操作部２５は、第２表示装置３ｂなどの子表示装置の輝度設定値を算出する。
【００４９】
次に、ステップＳ２７では、処理・操作部２５は、上記ステップで設定又は算出した各表示装置３の輝度設定値を示す輝度設定値信号と、色温度及びガンマ値を示す色温度・ガンマ値信号を各表示装置３に送信する。具体的には、色温度・ガンマ値信号と、第１表示装置３ａの輝度設定値を示す輝度設定値信号を第１表示装置３ａに送信し、色温度・ガンマ値信号と、第２表示装置３ｂの輝度設定値を示す輝度設定値信号を第２表示装置３ｂに送信する。
【００５０】
第１及び第２表示装置３ａ，３ｂの処理部１７は、送受信部２１を通じて色温度・ガンマ値信号と輝度設定値信号を受け取ると、色温度・ガンマ値信号に基づいて映像処理回路制御信号を生成して映像処理回路１１に出力し、かつ輝度設定値信号に基づいてバックライト制御信号を生成し、バックライト制御回路１５に対して出力する。なお、処理部１７は、色温度・ガンマ値信号及び輝度設定値信号をそのまま映像処理回路制御信号及びバックライト制御信号としてスルー出力してもよい。映像処理回路１１は、処理部１７から入力された映像処理回路制御信号に基づいて、外部から入力された映像信号を液晶パネル９に最適な信号への変換処理を行い、変換により得られた液晶パネル映像信号を出力し、バックライト制御回路１５は、バックライト制御信号に基づいてバックライト１３を駆動して可視光を出力させる。
【００５１】
このように、マルチモニタシステム１に含まれる複数の表示装置３の輝度が実質的に等しくなるように個々の表示装置３について輝度設定値が算出され、各表示装置３では、自身について算出された輝度設定値に基づいてバックライト１３からの可視光の出力が制御される。
【００５２】
このように、ＲＧＢ輝度実測値及び色温度定義情報を用いて輝度情報値を算出し、その値に基づいて輝度合わせを行うことによって、色温度によらずに精度よく輝度合わせを行うことができる。
【００５３】
なお、上記実施形態では、ガンマ値は設定可能であるとしたが、ガンマ値は例えば２．２に固定にするようにしてもよい。この場合、処理・操作部２５は、色温度・ガンマ値信号の代わりに、色温度を示す色温度信号を各表示装置３に送信すればよい。また、この場合は、式２−１の代わりに、式２−４を用いて算出することができる。式２−１では、ＲＧＢ輝度実測値と、ＲＧＢゲイン値およびガンマ値に基づいて輝度情報値を算出しているが、式２−４では、ＲＧＢ輝度実測値とＲＧＢゲイン値に基づいて輝度情報値を算出している。つまり、輝度情報値は、少なくともＲＧＢ輝度実測値とＲＧＢゲイン値に基づいて算出することができ、輝度情報値の算出において、ガンマ値を変数とするかどうかは任意である。また、式２−４において、累乗の値としては、「２．２」の代わりに、別の値（例：２）を用いてもよい。
（式２−４）
輝度情報値
＝（Ｒの輝度実測値）×（色温度ＴでのＲのゲイン値）２．２
＋（Ｇの輝度実測値）×（色温度ＴでのＧのゲイン値）２．２
＋（Ｂの輝度実測値）×（色温度ＴでのＢのゲイン値）２．２
【００５４】
また、変形例として、少なくとも１つの表示装置３の記憶部１９に、複数の色温度と、各色温度での特定の輝度設定値（例：最大値）での輝度実測値を記憶させてもよい。この場合、ステップＳ２４において、ステップＳ２２で設定した色温度に対応する輝度実測値を「輝度情報値」とすることができる。
【００５５】
３．第３実施形態
図６〜図７を用いて、本発明の第３実施形態のマルチモニタシステム１について説明する。
図６に示すように、本実施形態のマルチモニタシステム１は、基本構成は第２実施形態と同様であり、制御装置７に記憶されているデータが主に異なっている。第２実施形態では、制御装置７の記憶部２７には、色温度と、その色温度での特定の輝度設定値（例：最大値）での輝度代表値が機種識別子と関連付けて記憶されているが、このデータのみでは、ユーザーがＲＧＢゲイン値を任意に設定したときに対応することができない。
【００５６】
そこで、本実施形態では、制御装置７の記憶部２７には、第２実施形態の記憶部２７に記憶されているデータに代わりに、又このデータに加えて、Ｒ，Ｇ，Ｂそれぞれの特定の輝度設定値からなる特定のＲＧＢ輝度設定値（例：Ｒ，Ｇ，Ｂの何れも最大値）でのＲ，Ｇ，Ｂのそれぞれの輝度代表値であるＲＧＢ輝度代表値が機種識別子と関連付けて記憶させる。ＲＧＢ輝度代表値は、表示装置３の記憶部１９にＲＧＢ輝度実測値が記憶されておらずかつユーザーがＲＧＢゲイン値を任意に設定したときに、輝度情報値を算出するために用いられる。ＲＧＢ輝度代表値は、同一機種についての多数の表示装置についてのＲＧＢ輝度実測値の分布から求めることができる。代表値としては、平均値や最頻値などを用いることができる。
【００５７】
ここで、図７のフローチャートを用いて、マルチモニタシステム１に含まれる複数の表示装置３の輝度合わせを行う方法を詳細に説明する。図７のフローチャート中の各ステップの順序は、例示であって、適宜順序を入れ替えることも可能である。
【００５８】
まず、ステップＳ３１では、第２実施形態のステップＳ２１と同様に、マルチモニタシステム１に含まれる何れかの表示装置３を親表示装置として選択する。
【００５９】
次に、ステップＳ３２では、処理・操作部２５は、ユーザーがＲＧＢゲイン値を任意に設定するための操作画面を表示画面２９に表示する。ユーザーは、この操作画面において、ＲＧＢゲイン値を設定し、処理・操作部２５がその設定を受け付ける。なお、本実施形態では、ガンマ値は２．２に固定とするが、第２実施形態のように、ガンマ値を設定可能にしてもよい。
【００６０】
次に、ステップＳ３３では、処理・操作部２５は、マルチモニタシステム１に含まれる各表示装置の記憶部１９から機種識別子と、ＲＧＢ輝度実測値の一方又は両方を読み出す。
【００６１】
次に、ステップＳ３４では、処理・操作部２５は、マルチモニタシステム１に含まれる各表示装置３の輝度情報値を決定する。記憶部１９にＲＧＢ輝度実測値が記憶されている表示装置３については、Ｒ，Ｇ，Ｂそれぞれの輝度情報値からなるＲＧＢ輝度情報値としてＲＧＢ輝度実測値を使用し、記憶部１９にＲＧＢ輝度実測値が記憶されていない表示装置３については、機種識別子に従って記憶部２７からＲＧＢ輝度代表値を読み出し、これをＲＧＢ輝度情報値とする。従って、本実施形態では、ＲＧＢ輝度情報値は、ＲＧＢ輝度実測値又はＲＧＢ輝度代表値である。
【００６２】
輝度情報値は、以下の式３−１に従って算出することができる。
（式３−１）
輝度情報値
＝（Ｒの輝度情報値）×（ユーザーが設定したＲのゲイン値）γ
＋（Ｇの輝度情報値）×（ユーザーが設定したＧのゲイン値）γ
＋（Ｂの輝度情報値）×（ユーザーが設定したＢのゲイン値）γ
【００６３】
次に、第２実施形態のステップＳ２５〜Ｓ２７と同様に、ステップＳ３５〜Ｓ３６を行う。
【００６４】
次に、ステップＳ３７では、処理・操作部２５は、上記ステップで設定又は算出した各表示装置３の輝度設定値を示す輝度設定値信号と、ＲＧＢゲイン値を示すＲＧＢゲイン値信号を各表示装置３に送信する。具体的には、ＲＧＢゲイン値信号と、第１表示装置３ａの輝度設定値を示す輝度設定値信号を第１表示装置３ａに送信し、ＲＧＢゲイン値信号と、第２表示装置３ｂの輝度設定値を示す輝度設定値信号を第２表示装置３ｂに送信する。
【００６５】
第１及び第２表示装置３ａ，３ｂの処理部１７は、送受信部２１を通じてＲＧＢゲイン値信号と輝度設定値信号を受け取ると、ＲＧＢゲイン値信号に基づいて映像処理回路制御信号を生成して映像処理回路１１に出力し、かつ輝度設定値信号に基づいてバックライト制御信号を生成し、バックライト制御回路１５に対して出力する。なお、処理部１７は、ＲＧＢゲイン値信号及び輝度設定値信号をそのまま映像処理回路制御信号及びバックライト制御信号としてスルー出力してもよい。映像処理回路１１は、処理部１７から入力された映像処理回路制御信号に基づいて、外部から入力された映像信号を液晶パネル９に最適な信号への変換処理を行い、変換により得られた液晶パネル映像信号を出力し、バックライト制御回路１５は、バックライト制御信号に基づいてバックライト１３を駆動して可視光を出力させる。
【００６６】
このように、マルチモニタシステム１に含まれる複数の表示装置３の輝度が実質的に等しくなるように個々の表示装置３について輝度設定値が算出され、各表示装置３では、自身について算出された輝度設定値に基づいてバックライト１３からの可視光の出力が制御される。
【００６７】
このように、ＲＧＢ輝度情報値と、ユーザーが任意に設定したＲＧＢゲイン値を用いて輝度情報値を算出し、その値に基づいて輝度合わせを行うことによって、ＲＧＢゲイン値によらずに精度よく輝度合わせを行うことができる。
【００６８】
なお、第２実施形態と第３実施形態は、統合することができ、この場合、ステップＳ３２において、処理・操作部２５は、ユーザーがＲＧＢゲイン値又は色温度を設定するための操作画面を表示画面２９に表示する。そして、ユーザーがＲＧＢゲイン値の設定を行った場合には、ステップＳ３３〜Ｓ３７を実行し、ユーザーが色温度の設定を行った場合には、第２実施形態のステップＳ２３〜Ｓ２７を実行してもよい。ガンマ値は、固定にしても設定可能にしてもよい。
【００６９】
ガンマ値を固定にする場合、式３−１の代わりに、式３−２を用いて輝度情報値を算出することができる。式３−１では、ＲＧＢ輝度情報値と、ＲＧＢゲイン値およびガンマ値に基づいて輝度情報値を算出しているが、式３−２では、ＲＧＢ輝度情報値とＲＧＢゲイン値に基づいて輝度情報値を算出している。つまり、輝度情報値は、少なくともＲＧＢ輝度情報値とＲＧＢゲイン値に基づいて算出することができ、輝度情報値の算出において、ガンマ値を変数とするかどうかは任意である。また、式３−２において、累乗の値としては、「２．２」の代わりに、別の値（例：２）を用いてもよい。
（式３−２）
輝度情報値
＝（Ｒの輝度情報値）×（ユーザーが設定したＲのゲイン値）２．２
＋（Ｇの輝度情報値）×（ユーザーが設定したＧのゲイン値）２．２
＋（Ｂの輝度情報値）×（ユーザーが設定したＢのゲイン値）２．２
【００７０】
また、第２〜第３実施形態では、輝度情報値の算出には、特定の輝度設定値でのＲＧＢ輝度実測値又はＲＧＢ輝度代表値を使用したが、特定のＲＧＢ輝度実測値でのＲ，Ｇ，Ｂそれぞれの輝度設定値からなるＲＧＢ輝度設定値を用いることも可能である。例えば、特定のＲＧＢ輝度実測値を（Ｒ，Ｇ，Ｂ）＝（８０ｃｄ／ｍ２，８０ｃｄ／ｍ２，８５ｃｄ／ｍ２）に設定する場合、ＲＧＢの最大輝度が（Ｒ，Ｇ，Ｂ）＝（１００ｃｄ／ｍ２，１２０ｃｄ／ｍ２，９０ｃｄ／ｍ２）である第１表示装置３ａでは、ＲＧＢ輝度設定値が（Ｒ，Ｇ，Ｂ）＝（８０／１００、８０／１２０、８５／９０）＝（８０％、６７％、９４％）程度になる。特定のＲＧＢ輝度実測値でのＲＧＢ輝度設定値は、表示装置３ごとに異なるものであり、このＲＧＢ輝度設定値を利用することによって、輝度合わせが可能である。
【００７１】
特定のＲＧＢ輝度実測値でのＲＧＢ輝度設定値を用いた輝度合わせの方法としては、以下の式３−３に従って、「特定のＲＧＢ輝度実測値でのＲＧＢ輝度設定値」を「特定のＲＧＢ輝度設定値でのＲＧＢ輝度実測値」に変換し、その後、上記の式２−１，式２−４、式３−１又は式３−２に従って、子表示装置の輝度設定値を算出する方法が挙げられる。例えば、Ｇについては、８０×（９０／６７）＝１０７．４によって、特定の輝度設定値（９０％）での輝度実測値を得ることができる。
（式３−３）
特定のＲＧＢ輝度設定値でのＲＧＢ輝度実測値＝特定のＲＧＢ輝度実測値×（特定のＲＧＢ輝度設定値／特定のＲＧＢ輝度実測値でのＲＧＢ輝度設定値）
【００７２】
４．第４実施形態
図８〜図９を用いて、本発明の第４実施形態のマルチモニタシステム１について説明する。
第１〜第３実施形態では、表示装置３とは別に制御装置７を設け、制御装置７の処理・操作部２５において、輝度設定値の設定及び計算等を行ったが、図８に示すように、本実施形態のマルチモニタシステム１には制御装置７がなく、複数の制御装置３は、直接通信するように構成されている。なお、図８では、２台の表示装置３のみを表示しているが、表示装置３の数は３台以上であってもよい。また、表示装置３間の通信は、無線・有線の何れであってもよい。
【００７３】
本実施形態では、各表示装置３は、処理部１７と制御装置７の処理・操作部２５の両方の機能を有する処理・操作部３１を備える。また、各表示装置３の記憶部１９には、第２実施形態の記憶部１９に記憶されているデータと、第２実施形態の制御装置７の記憶部２７に記憶されているデータの両方が記憶されている。なお、輝度代表値に基づく輝度合わせを行わない場合には、記憶部２７のデータは必要ない。
【００７４】
ここで、図９のフローチャートを用いて、マルチモニタシステム１に含まれる複数の表示装置３の輝度合わせを行う方法を詳細に説明する。図９のフローチャート中の各ステップの順序は、例示であって、適宜順序を入れ替えることも可能である。なお、本実施形態では、処理・操作部３１の動作は、基本的に、第２実施形態の処理部１７と処理・操作部２５の動作を合わせたものであるので、以下の説明では、第２実施形態との相違点を中心に説明を行う。
【００７５】
まず、ユーザーが、親表示装置にしたい表示装置３の調整用スイッチ３３を操作して輝度合わせの設定を開始すると、ステップＳ４１において、処理・操作部３１は、色温度及びガンマ値を設定するための操作画面を液晶パネル９に表示する。ユーザーは、この操作画面において、色温度及びガンマ値を設定し、処理・操作部３１がその設定を受け付ける。本実施形態では、調整用スイッチ３３が押された表示装置３がそのまま親表示装置となるので、第２実施形態のステップＳ２１に対応するステップが不要である。なお、調整用スイッチ３３が押された表示装置３以外の表示装置を親表示装置に選択できるように構成してもよく、その場合、ステップＳ４１の前に、第２実施形態のステップＳ２１に対応するステップを設けることができる。
ここでは、第１表示装置３ａの調整用スイッチ３３が操作されて、第１表示装置３ａが親表示装置として設定され、かつ第２表示装置３ｂ及びその他の表示装置が子表示装置として設定されたものとして以下の説明を進める。
【００７６】
次に、ステップＳ４２では、処理・操作部３１は、マルチモニタシステム１に含まれる各表示装置３の記憶部１９から機種識別子と、ＲＧＢ輝度実測値及び色温度定義情報の一方又は両方を読み出す。処理・操作部３１は、第１表示装置３ａの記憶部１９には直接アクセスし、第２表示装置３ｂの記憶部１９には送受信部２１を通じてアクセスして情報を取得する。
【００７７】
次に、処理・操作部３１は、第２実施形態のステップＳ２４〜Ｓ２６と同様に、ステップＳ４３〜Ｓ４５を行う。
【００７８】
次に、ステップＳ４６では、処理・操作部３１は、上記ステップで算出した各表示装置３の輝度設定値を示す輝度設定値信号と、色温度及びガンマ値を示す色温度・ガンマ値信号を自機以外の表示装置３に送信する。
【００７９】
次に、ステップＳ４７では、処理・操作部３１は、ステップＳ４１で設定した色温度・ガンマ値に基づいて映像処理回路制御信号を生成して自機の映像処理回路１１に出力すると共に、ステップＳ４４で設定した輝度設定値に基づいてバックライト制御信号を生成して自機のバックライト制御回路１５に出力する。
【００８０】
以上の方法により、制御装置７がない場合でも、各表示装置３に処理・操作部３１を設けることによって、第２実施形態と同様に輝度合わせを行うことができる。
【００８１】
上記説明では、処理・操作部３１の動作は、第２実施形態の処理部１７と処理・操作部２５の動作を合わせたものを基本としたものとしたが、同様に、第１又は第３実施形態の処理部１７と処理・操作部２５の動作を合わせたものを基本とした動作をさせるように処理・操作部３１を構成してもよい。また、本実施形態では、全ての表示装置３に処理・操作部３１が配置しているが、一部の表示装置３にのみ処理・操作部３１を配置してもよい。
【００８２】
５．その他
第１〜第４実施形態では、液晶パネル９を備える表示装置３においてバックライト１３からの可視光の出力を制御することによって輝度合わせを行なっているが、本発明は、液晶パネル９を備えるものに限定されず、有機ＥＬパネルなどの別の種類の表示パネルを有する表示装置で構成されたマルチモニタシステムにも適用可能である。例えば有機ＥＬパネルの場合、発光層に流す電流量を制御することによって輝度を調整して輝度合わせを行うことができる。
【図１】
2015001740.tif 000003
【図２】
2015001740.tif 000004
【図３】
2015001740.tif 000005
【図４】
2015001740.tif 000006
【図５】
2015001740.tif 000007
【図６】
2015001740.tif 000008
【図７】
2015001740.tif 000009
【図８】
2015001740.tif 000010
【図９】
2015001740.tif 000011